(57)【要約】【課題】  跳ね上げ機構の構成が簡単で故障しにくい跳ね上げ機構を備えた前掛け眼鏡を提供する。【解決手段】  眼鏡のフロント部分に着脱自在に取り付けられ、レンズの跳ね上げ機構を備えた前掛け眼鏡において、眼鏡２のフロント部分を挟持してレンズ１１を眼鏡２の前面に装着する装着装置１３と、レンズ１１を跳ね上げる際の回動軸線上に設けられた棒状部材１３０と、レンズ１１側に設けられ、棒状部材１３０と当接するとともに棒状部材１３０を常時一側に付勢する凸部１２ａとを有する。【選択図】  図１
2008096579.tif 000002
【特許請求の範囲】
【請求項１】
眼鏡のフロント部分に着脱自在に取り付けられ、レンズの跳ね上げ機構を備えた前掛け眼鏡において、
前記眼鏡のフロント部分を挟持して前記レンズを前記眼鏡の前面に装着する装着装置と、
前記レンズを跳ね上げる際の回動軸線上に設けられた棒状部材と、
前記レンズ側に設けられ、前記棒状部材と当接するとともに前記棒状部材を常時一側に付勢する凸部と、
を有することを特徴とする跳ね上げ機構を備えた前掛け眼鏡。
【請求項２】
前記棒状部材が、前記レンズ側に設けられた一対のブラケット間に架設された直線状又は少なくとも一部が湾曲した湾曲状の部材であることを特徴とする請求項１に記載の跳ね上げ機構を備えた前掛け眼鏡。
【請求項３】
前記棒状部材との接触長さが最大になるように前記凸部の形状を選択したことを特徴とする請求項１又は２に記載の跳ね上げ機構を備えた前掛け眼鏡。
【請求項４】
前記凸部に係合溝を形成し、前記棒状部材をこの係合溝に係合させたことを特徴とする請求項１〜３のいずれかに記載の跳ね上げ機構を備えた前掛け眼鏡。
【請求項５】
前記装着装置が、眼鏡のレンズの周縁に沿って異なる二方向に伸びる二つの弾性脚部と、この弾性脚部のそれぞれの先端に設けられ前記フロント部分の一面に当接するパッドと、前記二つの弾性脚部の起点に設けられ、前記フロント部分の他面に当接する当接部材とを有することを特徴とする請求項１〜４のいずれかに記載の跳ね上げ機構を備えた前掛け眼鏡。
【請求項６】
前記眼鏡レンズを傷つけないように前記当接部材が前記眼鏡レンズよりも軟質の材料で形成されていること、または軟質の材料で表面を被覆したことを特徴とする請求項５に記載の跳ね上げ機構を備えた前掛け眼鏡。
【請求項７】
前記当接部材の少なくとも一部が、前記二つの弾性脚の接合部であることを特徴とする請求項５又は６に記載の跳ね上げ機構を備えた前掛け眼鏡。
【請求項８】
前記接合部の近傍に、前記眼鏡レンズの他面に当接する当接部材を形成したことを特徴とする請求項７に記載の跳ね上げ機構を備えた前掛け眼鏡。
【発明の詳細な説明】
【技術分野】
【０００１】
本発明は、眼鏡のフロント部分に着脱自在に取り付けられる前掛け眼鏡に関し、特に、レンズを任意の位置まで跳ね上げて保持させることのできる跳ね上げ機構を備えた前掛け眼鏡に関する。
【背景技術】
【０００２】
眼鏡のフロント部分に着脱自在に取り付けられ、かつ、眼鏡のレンズと異なる機能のレンズ、例えば偏光レンズや防眩レンズを備えた前掛け眼鏡が知られている。そして、このような前掛け眼鏡の中には、レンズを任意の位置まで跳ね上げ、当該位置で保持させることが可能な跳ね上げ機構を有するものが種々提案されている（例えば、特許文献１，２，３，４参照）。
【特許文献１】特開平９−１７１１６１号公報
【特許文献２】特開平１０−２２１６５３号公報
【特許文献３】特開２００３−２４１１４９号公報
【特許文献４】実用新案登録第３１１６２９４号
【発明の開示】
【発明が解決しようとする課題】
【０００３】
しかしながら、上記文献に記載の跳ね上げ眼鏡は、任意の跳ね上げ位置でレンズを停止させる機構が複雑であったり、その製造が複雑であったりして、製造コストが高いという欠点がある。また、長期間使用するうちに跳ね上げ機構が破損したり、摩耗により跳ね上げ位置での保持が困難になり寿命が短いという問題もある。さらに、上記した従来の跳ね上げ眼鏡は、ロー付け箇所が多く、長期間使用するうちに破損しやすいという問題がある。
本発明は上記の問題点にかんがみてなされたもので、簡単な構成で任意の跳ね上げ位置でレンズを停止させることができ、かつ、簡単な構成故に故障しにくい長寿命の跳ね上げ機構を有する前掛け眼鏡の提供を目的とする。
【課題を解決するための手段】
【０００４】
本発明の目的を達成するために、請求項１に記載の発明は、眼鏡のフロント部分に着脱自在に取り付けられ、レンズの跳ね上げ機構を備えた前掛け眼鏡において、前記眼鏡のフロント部分を挟持して前記レンズを前記眼鏡の前面に装着する装着装置と、前記レンズを跳ね上げる際の回動軸線上に設けられた棒状部材と、前記レンズ側に設けられ、前記棒状部材と当接するとともに前記棒状部材を常時一側に付勢する凸部とを有する構成としてある。
この構成によれば、棒状部材と凸部とが相対的に付勢されることで、両者の摩擦によりレンズに跳ね上げ抵抗が生じ、これによってレンズを任意の跳ね上げ位置で停止させることができる。
【０００５】
この場合、請求項２に記載するように、前記棒状部材が、前記レンズ側に設けられた一対のブラケット間に架設された直線状又は少なくとも一部が湾曲した湾曲状の部材としてもよい。
棒状部材は、直線状のものであってもよいし一部が湾曲した形状のものであってもよい。
また、摩擦による摩耗低減の観点から、好ましくは、請求項３に記載するように、前記棒状部材との接触長さが最大になるように前記凸部の形状を選択するのがよい。
【０００６】
また、前記凸部に係合溝を形成し、前記棒状部材をこの係合溝に係合させるようにしてもよい。このようにすることで、棒状部材の摩耗を低減することができるほか、棒状部材が凸部から外れるという不都合を回避できる。
なお、前記凸部と前記棒状部材とは同じ硬さの材質のもので形成してもよいし、異なる硬さの材質のもので形成してもよい。例えば、前記凸部を前記棒状部材よりも軟質の材料で形成することで、棒状部材の寿命を長くすることができる。
【０００７】
また、前記装着装置は、請求項５に記載するように、眼鏡のレンズの周縁に沿って異なる二方向に伸びる二つの弾性脚部と、この弾性脚部のそれぞれの先端に設けられ前記フロント部分の一面に当接するパッドと、前記二つの弾性脚部の起点に設けられ、前記フロント部分の他面に当接する当接部材とを有する構成とするとよい。
このようにすることで、一方の弾性脚部及び当接部材で眼鏡レンズを押さえて挟持し、他方の弾性部材及び当接部材で眼鏡レンズから前掛け眼鏡が容易に外れないようにすることができる。この場合、請求項６に記載するように、前記眼鏡レンズを傷つけないように前記当接部材が前記眼鏡レンズよりも軟質の材料で形成するとよく、また、軟質の材料で表面を被覆するとよい。
前記当接部材の一部は、請求項７に記載するように、前記二つの弾性脚の接合部であってもよく、また、請求項８に記載するように、前記接合部の近傍に、前記眼鏡レンズの他面に当接する当接部材を設けてもよい。
【発明の効果】
【０００８】
本発明によれば、跳ね上げ機構の構成を簡単にすることができ、低コストで故障しにくく長寿命の跳ね上げ機構を有する前掛け眼鏡を得ることができる。
【発明を実施するための最良の形態】
【０００９】
以下、本発明の前掛け眼鏡の好適な実施形態を、図面を参照しながら詳細に説明する。
図１は、本発明の前掛け眼鏡の一実施形態にかかり、（ａ）はその平面図、（ｂ）はその正面図、（ｃ）はその側面図である。
前掛け眼鏡１は、リム１２によって上端縁が連結された二つのレンズ１１，１１と、リム１２に設けられ、レンズ１１，１１を眼鏡のフロント部分に装着するための装着装置１３とを有している。
【００１０】
装着装置１３は、リム１２の両端近傍に固着された又はリム１２と一体に形成された左右一対のブラケット１３１，１３１と、このブラケット１３１，１３１に形成された貫通孔（図示せず）を挿通し、リム１２の長手方向に沿って一方のブラケット１３１から他方のブラケット１３１まで架け渡された丸棒状の棒状部材１３０と、ブラケット１３１から突出した棒状部材１３０の両端に設けられ、眼鏡のレンズ（前掛け眼鏡が装着される眼鏡のレンズを指す。以下、前掛け眼鏡１のレンズ１１，１１と区別するために「眼鏡レンズ」と記載する）に当接するパッド１３２，１３２と、ブラケット１３１，１３１の外側近傍で棒状部材１３０にロー付け接合され、レンズ１１，１１の周縁に沿って下方に伸びる一対の弾性脚１３３，１３３と、この弾性脚１３３，１３３の先端に取り付けられ、眼鏡レンズに当接するパッド１３４，１３４とを有している。
【００１１】
ブラケット１３１，１３１は、射出成形等によってリム１２と一体に成形してもよいし、リム１２にパイプ状のブラケット１３１，１３１をロー付け等により接合してもよい。
棒状部材１３０及び弾性脚１３３，１３３は、ばね鋼，ステンレス鋼又はチタン等のようにばね性に優れた金属から形成するとよい。
棒状部材１３０のブラケット１３１，１３１間に位置する部分は、無負荷状態で直線状の直線部１３０ａとして形成されている。また、棒状部材１３０のブラケット１３１，１３１から左右に突出する部分は、両端に向かうほどレンズ１１，１１から遠ざかるように湾曲形成された弾性脚１３０ｂとして形成されている。
【００１２】
パッド１３２，１３２及びパッド１３４，１３４は、ガラスや樹脂で形成された眼鏡レンズに傷を付けにくいものであればよく、全体が樹脂やゴム等の軟質材料で形成されたものであってもよいし、弾性脚１３０ｂ，１３０ｂ及び弾性脚１３３，１３３の両端を図示するように渦巻状に形成し、その上から樹脂やゴムをコーティングしたものであってもよい。パッド１３２，１３２及びパッド１３４，１３４と弾性脚１３０ｂ，１３０ｂ及び弾性脚１３３，１３３とは一体であってもよいし別体であってもよく、別体とする場合は弾性脚１３０ｂ，１３０ｂ及び弾性脚１３３，１３３に対して着脱自在（交換可能）としてもよい。
【００１３】
二組のパッド１３２，１３２及びパッド１３４，１３４は、前掛け眼鏡１を眼鏡に装着する前の状態において、それぞれ同程度にレンズ１１，１１の表面から離間した位置にあり、前掛け眼鏡１を眼鏡に装着したときには、パッド１３４，１３４及びパッド１３２，１３２がともに裏面側（利用者の顔面側）から眼鏡レンズに当接するようになっている。弾性脚１３０ｂ，１３０ｂ及び弾性脚１３３，１３３は、眼鏡レンズの周縁を回り込んでパッド１３２，１３２及びパッド１３４，１３４を眼鏡レンズの裏面側に位置させるように、図示するように必要に応じてその途中部位を湾曲させている。
ブラケット１３１，１３１の貫通孔は、棒状部材１３０の外径と同一の内径に形成するのが好ましい。このようにすることで、前掛け眼鏡１を眼鏡に装着するべく弾性脚１３０ｂ，１３０ｂを弾性変形させたときに、この変形の影響が直線部１３０ａにほとんど及ばなくすることができ、跳ね上げ性能の変化を防止できる。
【００１４】
二つの弾性脚１３３，１３１ｂの接合部（図１中符号Ａで示す部分）は、パッド１３４，１３４及びパッド１３２，１３２よりもレンズ１１，１１側に位置していて、前掛け眼鏡１を眼鏡に装着したときには、眼鏡レンズの表面側に位置するようになっている。
すなわち、この実施形態の装着装置１３では、主として弾性脚１３０ｂ，１３０ｂによって弾発されたパッド１３２，１３２と前記接合部とで、眼鏡レンズが挟持されることになる。また、弾性脚１３３，１３３によって弾発されたパッド１３４，１３４は、眼鏡から前掛け眼鏡１に当接し、眼鏡レンズを挟持する役割も担うが、主として、前掛け眼鏡１を下方に引っ張ることで、前掛け眼鏡１が容易に眼鏡から離脱しないようにしている。
上記したように、前記接合部は眼鏡レンズの表面に当接して眼鏡レンズを挟持する部材であるため、前記接合部の表面を樹脂やゴム等でコーティングして、眼鏡レンズに傷を付けないようにするのが好ましい。
【００１５】
次に、レンズ１１，１１を任意の跳ね上げ位置で保持する跳ね上げ機構について、図２を参照しながら説明する。
図２は、この実施形態における跳ね上げ機構の詳細を説明する部分拡大平面図である。
上記したように、丸棒状の棒状部材１３０は、ブラケット１３１，１３１の貫通孔を挿通して支持されていることから、ブラケット１３１，１３１，レンズ１１，１１及びリム１２と装着装置１３とは相対的に回動自在である。
【００１６】
図２（ａ）に示すように、リム１２の中央には、棒状部材１３０の直線部１３０ａに向けて隆起する凸部１２ａが形成されている。この凸部１２ａが棒状部材１３０の直線部１３０ａに当接して、図示するように弾性変形させ、この弾性変形による付勢力によって棒状部材１３０とリム１２との間に摩擦抵抗が生じ、この摩擦抵抗によってレンズ１１，１１を任意の跳ね上げ位置で停止させることができる。
前記摩擦抵抗の大きさは棒状部材１３０の弾性変形量が大きいほど、つまり、隆起の高さ（符号Ｈで示す）が高いほど大きくなり、また、ブラケット１３１，１３１間の距離Ｓが小さくなるほど大きくなる。すなわち、高さＨや距離Ｓを適宜に選択することで、棒状部材１３０の材質（ばね性）に応じた跳ね上げ抵抗に調整することができるわけである。
【００１７】
さらに、棒状部材１３０とリム１２との接触面積が大きいほど大きくなる。この実施形態では、棒状部材１３０とリム１２との接触面積を大きくするために、図２（ｂ）に示すように、棒状部材１３０と接触するリム１２の一側に、棒状部材１３０とほぼ同一半径の半円弧状の係合溝１２ｂを形成し、この係合溝１２ｂに棒状部材１３０の直線部１３０ａを嵌め込むようにしている。これにより、係合溝１２ｂの内周面のほぼ全面を棒状部材１３０に接触させることが可能である。なお、このようにすることで、リム１２から棒状部材１３０が外れにくくなるという利点もある。
【００１８】
また、棒状部材１３０とリム１２との接触長さＬは可能な限り長いものであるのが好ましく、そのため凸部１２ａは種々の形状の中から適宜に選択されるべきである。例えば、図２に示すように、曲率中心をレンズ１１の一側と他側に有する曲線半径Ｒ１，Ｒ２の曲線を途中で連結させ、なだらかに隆起する凸部１２ａとしてもよい。
なお、特に図示はしないが、凸部１２ａで棒状部材１３０を押し上げたときに、ブラケット１３１，１３１の両端に突出する棒状部財１３０の弾性脚１３１ｂ，１３１ｂが必要以上にブラケット１３１，１３１の貫通孔内に引き込まれないようにするために、ブラケット１３１，１３１の出口近傍から弾性脚１３１ｂ，１３１ｂの変形を開始させたり、引き込み防止のための変形部（ストッパ）を形成してもよい。
【００１９】
図３は、上記構成の前掛け眼鏡１を、眼鏡２のフロント部分に装着した状態を示したもので、（ａ）はその平面図、（ｂ）はその正面図、（ｃ）はその側面図である。
眼鏡２は、左右の眼鏡レンズ２１，２１と、この眼鏡レンズ２１，２１を中間で連結するブリッジ２２と、眼鏡レンズ２１，２１の両端に取り付けられたヨロイ２３，２３と、図示はしないがヨロイ２３，２３によって折り畳み自在に取り付けられる左右一対のテンプルとを有している。
なお、この明細書では、ブリッジ２２と眼鏡レンズ２１，２１とを含む部分を、「フロント部分」と称する。また、上記の眼鏡は、所謂リムレス眼鏡であるが、本発明の前掛け眼鏡１は、このようなリムレス眼鏡に限らずフルリム、ハーフリム等の他の形態の眼鏡にも装着が可能である。
【００２０】
眼鏡２のフロント部分への前掛け眼鏡１の装着は、弾性脚１３３，パッド１３４及び弾性脚１３０ｂ及びパッド１３２をレンズ１１，１１から遠ざける方向に少し押し拡げ、パッド１３２及びパッド１３４とブラケット１３１との間の隙間に眼鏡レンズ２１，２１を差し込むことで行う。
これにより、主として左右のパッド１３２，１３２と左右の接合部（図１の符号Ａで示す部分）とによって、眼鏡レンズ２１，２１が表裏面から挟持される。そして、主として左右のパッド１３４，１３４によって、前掛け眼鏡１が眼鏡２から容易に離脱しないように装着される。
前掛け眼鏡１のレンズ１１，１１は、リム１２とともに図３（ｃ）中矢印IIIで示す方向に回動自在（跳ね上げ自在）である。そして、棒状部材１３０の直線部１３０ａがリム１２の凸部１２ａによって弾発されることによる摩擦抵抗により、任意の跳ね上げ位置（例えば、図３（ｃ）中仮想線で示す位置）でレンズ１１，１１を停止させることが可能である。
この実施形態の前掛け眼鏡１の装着装置１３では、上記の構成により眼鏡レンズや眼鏡枠の肉厚が大きく変化しても、眼鏡に前掛け眼鏡１を安定的かつ簡単に装着することができるという利点がある。
【００２１】
図４及び図５に装着装置の他の実施形態を示す。
図４の実施形態では、弾性脚１３３の上端、すなわち接合部側の端部をＵ字状に折り曲げて樹脂やゴム等の被膜を形成し、眼鏡レンズと当接するパッド１３５を形成している。そして、（ｂ）に示すように、左右のパッド１３５，１３５と左右のパッド１３２，１３２とで、眼鏡レンズを挟持できるようにしている。
また、図５の実施形態では、弾性脚１３３，１３３を短くし、かつ、弾性脚１３３の全体に樹脂やゴム等を被覆して、弾性脚１３３の全体が表面側から眼鏡レンズに当接するようにしている。この実施形態では、左右の弾性脚１３３，１３３と左右のパッド１３２，１３２とで、眼鏡レンズを挟持できるようにしていて、眼鏡レンズに対して長い接触長を得る（つまり、「点」ではなく「線」で接触する）ことができるようになっている。
【００２２】
本発明の好適な実施形態について説明したが、本発明は上記の実施形態に限定されるものではない。
例えば、上記の説明では、棒状部材１３０は直線状であるものとして説明したが、棒状部材１３０は適宜に湾曲状に形成してもよい。図６は、跳ね上げ機構の他の例を示す部分拡大平面図であるが、棒状部材１３０の中央部分に円弧状の湾曲部１３０ａ′を形成し、この湾曲部１３０ａ′と同じ曲率半径を有する凸部１２ａ′をリム１２の中央部分に形成して、湾曲部分のほぼ全周にわたって両者を当接させつつ、凸部１２ａ′で湾曲部１３０ａ′を押して弾性変形させるようにしている。なお、図６に示すような凸部１２ａ′においても、図２（ｂ）に示したような係合溝を設けてもよいことは勿論である。
【００２３】
また、上記の説明では、棒状部材１３０のブラケット１３１，１３１の間を直線部分１３０ａとして形成し、両端を弾性脚１３０ｂ，１３０ｂとして形成するものとして説明したが、直線部分１３０ａ（又は湾曲部分１３０ａ′）と弾性脚１３０ｂ，１３０ｂは別体のものであってもよい。
さらに、棒状部材１３０，１３０′と凸部１２ａ，１２ａ′との摩擦抵抗の大きさは、両者の材質や表面の仕上げ精度によっても調整が可能であるため、材質や表面仕上げ状態を適宜に選択して前記摩擦抵抗の大きさを調整するようにしてもよい。
【産業上の利用可能性】
【００２４】
本発明は、リムレス眼鏡に限らずハーフリムやフルリムなどあらゆる形態の眼鏡に着脱自在に装着できる跳ね上げ形の前掛け眼鏡として広範に適用が可能である。なお、ハーフリムやフルリムの眼鏡に本発明の前掛け眼鏡を装着する場合には、上記実施形態中の用語「眼鏡レンズ」は「眼鏡レンズ又はリム」と読み替えられる。
【図面の簡単な説明】
【００２５】
【図１】本発明の前掛け眼鏡の一実施形態にかかり、（ａ）はその平面図、（ｂ）はその正面図、（ｃ）はその側面図である。
【図２】図１の前掛け眼鏡における跳ね上げ機構の詳細を説明する部分拡大平面図である。
【図３】前掛け眼鏡を眼鏡のフロント部分に装着した状態を示したもので、（ａ）はその平面図、（ｂ）はその正面図、（ｃ）はその側面図である。
【図４】装着装置の他の実施形態にかかり、（ａ）はその正面図、（ｂ）はその側面図である。
【図５】装着装置のさらに他の実施形態にかかり、（ａ）はその正面図、（ｂ）はその側面図である。
【図６】跳ね上げ機構の他の例を示す部分拡大平面図である。
【符号の説明】
【００２６】
１：前掛け眼鏡
１１：レンズ
１２：リム
１３：装着装置
１３０：棒状部材
１３０ａ：直線部
１３０ｂ：弾性脚
１３１：ブラケット
１３２：パッド（当接部材）
１３３：弾性脚
１３４：パッド（当接部材）
２：眼鏡
２１：眼鏡レンズ
【図１】
2008096579.tif 000003
【図２】
2008096579.tif 000004
【図３】
2008096579.tif 000005
【図４】
2008096579.tif 000006
【図５】
2008096579.tif 000007
【図６】
2008096579.tif 000008